(57)【特許請求の範囲】
【請求項１】
男女の排尿および失禁と、女性の月経流とを自立的に密閉管理するシステムに適した解決方法を特徴とし、上記困難から人々を解放し、日常生活において、たとえ身体を動かしている間においても、その高い自立性とともにより良い生活の質を取り戻させるための処理に困る液体の管理手段であって、このシステムは、オプションとして洗浄および殺菌手段を備え、所定の結果に到達するために、複数のパーツ、すなわちカップ、巣房状の収集装置、手動ポンプ、専用ショーツ、ひざ当て、チョッキ、チューブおよび弁が相互接続されたアセンブリから構成され、前記収集装置の弁は、前記カップから来る排出チューブの逆止弁が嵌め込まれる、内側に向けた開放フラップを含み、前記収集装置は、前記チューブから取り外すと自動的に前記弁が閉じ密閉されることを特徴とする処理に困る液体の管理手段。
【請求項２】
密閉式のカップが液体を受け、これを巣房状の収集装置へと排出するために管理し、かつ器官とチューブを洗浄するためにポンプからの水を受けることを特徴とし、主軸を中心に回転された半楕円体形状の湾曲面を有するこのラテックス製カップには、
ａ）その外側部分で尿瓶の役割を果たす、丸く張り出した形状のソフトな膜
ｂ）ペニスを収容するための、開いた上部スリーブ
ｃ）陰嚢を収容するための下部ポケット
の各部が付属し、
部分ｂおよびｃの位置は、型から外した後のカップの使用位置であって、実際には、型の中でこれら２つの部分は反転しており、上部の穴はカップに通されるチューブ専用の穴で、実際にはこのチューブがカップに連結されたチューブコネクタ内に通された高さ5mm、直径5mmの円筒形であり、カップから出る下部のチューブは、逆さピラミッド形状の穴で、このピラミッドは、左右対称の同一の台形状をなす２つの側により構成され、カップ内側の表面加工された楕円形平面部分が、半楕円体に合わさってこれを閉じ、表面加工部分の延長が、カップを主たるウエアに固定するための３ｃｍ突出した縁部となり、女性用カップは、表面加工された平面部分が楕円形に開き、女性器の形状と合うようになっていることを特徴とする請求項１に記載の液体の管理手段。
【請求項３】
洗浄および消毒が、腰部右側に位置する手動ポンプにより要求に応じて行われることを特徴とし、このポンプ付きタンクはソフトゴム製の長方形であるが、湾曲して半月形をなしており、後方上部の充填口と前方下部の排出開口部を備え、液体を流すまたは止めるためのフラップ弁をここに収容する請求項１に記載の処理に困る液体の管理手段。
【請求項４】
これら全パーツの支持部が、ペニスと陰嚢を収納する尿瓶カップが性器をカバーするために湾曲した下部において密閉される、下着として着用される専用ショーツであることを特徴とし、このウエアは、これを外さなくても大便をすることを可能とし、かつ身体のサイズに合わせた調節を可能とするための横開放部を有する。チューブにより収集装置およびポンプに連結される請求項１に記載の処理に困る液体の管理手段。
【請求項５】
収集装置の液体の重量が、ポケット付きひざ当てにより支えられることを特徴とする、請求項１に記載の処理に困る液体の管理手段。
【請求項６】
衛生用水が、開放時の長さが40cmとなる伸縮式バー形状の圧縮式コックを腰部左側に備える、「リュックサック」式紐付きチョッキの中に貯蔵されることを特徴とする、請求項１に記載の処理に困る液体の管理手段。 
【発明の詳細な説明】
【技術分野】
【０００１】
（本発明が関係する技術分野）
処理に困る液体の管理手段は、日常生活において、控え目に身体を動かしている間でも、排尿または失禁、および女性の月経流周期を完全に管理するための装置からなり、この器具は、自立的、密閉式で、軽量かつ快適で目立たないことを目指しており、オプションとして伸縮式コック付きリュックサック型タンクを備える、排尿後のペニスおよび導管の洗浄および殺菌システムを有し、これによりイスラム教徒が行う祈りの沐浴の場合など、水による身体の一部に対する清めの儀式的行為の実施も可能となる。
【背景技術】
【０００２】
（従来技術）
尿失禁の管理には、吸収性のある使い捨ての合成樹脂製おむつを使用するが、そのうち女性用の一部おむつは尿を凝固させて溢出を防ぐパウダーを有する。また収集装置に連結される「ペニ・フロウ（PENI-FLOW）」と称するシステムなども存在する。
【発明の概要】
【発明が解決しようとする課題】
【０００３】
（発明の目的）
本発明の目的は、尿失禁および女性の月経流の完璧な管理により、安心して身体を動かす能力を備えることで、病人をこの困難から完全に解放して通常の生活の質を取り戻させることである。これによりイスラム教徒は常に衛生状態を保つことができるようになり、祈りのための沐浴を果たすことが可能となる。またイスラム教の聖地メッカにおいては、ハッジの巡礼日における往来を落ち着かせることで、スペースの拡大、すなわちミナおよびアラファト山への巡礼者数を増加させ、接触の回避による流行病感染を抑制し、人々の安全確保の改善および人々の休息時間の拡大などが可能となる。
【課題を解決するための手段】
【０００４】
（本発明のポイント（本質）の紹介）
本発明は、失禁、女性の月経流などの困難を完全に管理し、身体を動かしている間でも場所や時間を問わず自由に排尿できるシステムにより構成される。このシステムの新規性は、この器具が、これに排尿および月経流の完全な管理能力を付与するこれまでにない各要素のアセンブリからなるという点にある。
以下の各要素がこれにあたる。
・ペニスおよび陰嚢の収容部付きの尿瓶用カップを備えた肌着。
・「膨らんだポケット」作用を避けるための、巣房状収集装置支持用ポケット付きひざ当て。
・洗浄および消毒のための手動式ポンプ、液体用タンク。
・膨らんだポケット作用を生じない収集装置は、セルに分割されており高い貯水力を備え、複数のチューブと弁が、異なる機能を有する。
・固定用の紐とベルトを備えるリュックサック型チョッキ。このチョッキは、沐浴用の水を貯めておくために考案されたもので、スムーズかつ実用的に開閉される半月形状のコック付きの伸縮式金属チューブを備える。
【図面の簡単な説明】
【０００５】
【図１】主たるウエアを示す図である。
【図２】ラテックス製カップを示す図である。
【図３】ひざ当てを示す図である。
【図４】収集装置を示す図である。
【図５】タンクを示す図である。
【図６】放出部、チューブ、弁、接着テープを示す図である。
【図７】淋浴用チョッキを示す図である。
【発明を実施するための形態】
【０００６】
（本発明の実施形態）
本発明は、以下の各パーツの成形により実現される。
・浸漬被覆技術を用いた、ペニスと陰嚢を収容するラテックス製尿瓶カップ。
・射出成形またはプレス成形技術による、ソフトゴム製手動ポンプの成形。
・射出成形またはプレス成形技術による、合成樹脂製巣房状収集装置の成形。
・薄いラテックス製または丈夫な伸縮生地製のひざ当ての製作。
・流量が大きく平らなラテックス製チューブ。
・弁および低刺激性接着テープ。
・紐とベルトの付いた薄いラテックス製の沐浴用チョッキ、新型の伸縮式チューブの製作。
【０００７】
（図１）主たるウエア：
このウエアは、以下を含むショーツまたはショートパンツタイプの肌着からなる。
・尿瓶の役割を果たすカップの縁部を固定するための開口部。
・システムを外さなくても大便をすることができるようにするため、およびサイズ調整機能を有する洗浄ポンプ支持用ベルトにより肌着の後部から独立した前部を支えるための横開放部。
【０００８】
（図２）ラテックス製カップ：
これは（主軸を中心に回転された）半楕円体形状を有する湾曲面からなる。
このカップには以下に示す３つの部分が付属している。
ａ）その外側部分で尿瓶の役割を果たす、丸く張り出した形状のソフトな膜。
ｂ）ペニスを収容するための（開いた）上部スリーブ。
ｃ）陰嚢を収容するための下部ポケット。
部分ｂおよびｃの位置は、型から外した後のカップの使用位置である（実際には、型の中でこれら２つの部分は反転している）。
上部の穴はカップに通されるチューブ専用の穴である。実際にはこのチューブがカップに連結されたチューブコネクタ内に通される。これは高さ5mm、直径5mmの円筒形である。
カップから出る下部のチューブは、逆さピラミッド形状の穴で、これは漏斗の役割を果たす。このピラミッドは左右対称の同一の台形状をなす２つの側により構成される。
カップ内側の表面加工された楕円形平面部分が、半楕円体に合わさってこれを閉じる。表面部分の延長が、カップを主たるウエアに固定するための３ｃｍ突出した縁部となる。
【０００９】
（図３）ひざ当て：
これは収集装置ホルダの役割を果たす。
【００１０】
（図４）収集装置：
泡状または直径に沿って切断された半球状のセルからなる収集バッグで、液体の受け取りおよび保管の最終段階における「膨らんだポケット」作用を回避するため、セル同士が通じ合っている。
柔軟性および／または弾性のある密閉式。
【００１１】
（図５）タンク：
雑菌の発生を防止するための女性用の洗浄・消毒液を収容する長方形の新型ポンプで、排出部フラップ弁と、充填口と、カップ上部の放出部に連結されるチューブとを備える。ポンプは手で押すことにより、要求に応じて作動する。
【００１２】
（図６）
ａ）放出部：
カップ上部に位置し、強力な噴射により液体を送るように設けられる。
ｂ）チューブ：
・カップを収集装置に連結するチューブは、平らな形状で流量が大きい。このチューブは、カップから延びる漏斗の延長上に位置する。
・ポンプをカップに連結するチューブは、従来型の丸い形状のものである。
ｃ）弁：
この弁は全部で４つあり、そのうち２つはサイズが異なるが同じ機能を果たす。
収集装置の弁は、カップから来る平らな排出チューブの逆止弁が嵌め込まれる、内側に向けた開放フラップを含む。
・手で押すことにより洗浄または消毒用液体を流すためのポンプの弁（ソフトゴム製のポンプ上にある）。液体を止める、または手で押した時に流す役割を担う。
・逆止弁は、カップを収集装置に連結する平らな形状のチューブの端部に位置する。
・排気弁は、液体の流れとその収集装置への排出を容易化するため、液体は通さずに空気を逃す機能を有する。この排気弁はカップの上部、円筒形チューブコネクタから約10mmの場所に位置する。この排気弁は、水槽に使用されているものに類似する。
接着テープ：
使用される接着テープは低刺激性の両面テープで、カップからなる尿瓶を肌に貼り付け、密閉する役割を担う。その幅は男性用の場合約15mmで、ペニス用スリーブと陰嚢ポケットの周りを囲むように楕円形に沿う。
女性用の場合は、性器の周囲に卵形をなすようカップの縁から15mmを見込む。
【００１３】
（図７）沐浴用チョッキ：
このチョッキは、固定紐２本とベルト１本とを備えるウォータータンクポケット２つが付属した、ラテックス製生地の長方形の単独パーツにより構成され、端部に半月形状の閉鎖・開放機能を有する7cmのバー式コックの付いた40cmの伸縮式チューブを備える。
【００１４】
（本発明の使用方法）
本発明は、男女を問わず若者および成人に関係する。使用の際は、まずショーツのようにこのウエアを身に付け、カップの周縁部をペニスおよび陰嚢の周りに医療用低刺激性両面テープで接着した後、横開放部により身体のサイズに合わせて調節する。ポンプ付きタンクを腰部左側の固定ベルトにセットし、洗浄用チューブをつなぐ。
ひざ当てをひざの上からくるぶしまでの位置に固定する。巣房状収集装置を取り、逆止弁付き液流チューブに連結し、ひざ当てのポケット内に収容する。
【００１５】
（文章による説明――使用手順上の規則） 
患者はショーツを履くように身に付ける。
横開放部のベルトにより身体のサイズに合わせて装置を調節する。
男性の場合、尿瓶カップのスリーブ内にペニスを収め、陰嚢を収容し、両面テープを用いてカップを皮膚に接着させて密閉する。
次いで、ひざ当てを身に付け、ポンプを固定し、収集装置をチューブの先端につなぐ。
ユーザーが排尿する時、尿流は密閉式に管理され、まずペニスが尿を尿瓶カップに排出し、この尿瓶カップから尿は腿の内側に沿ったチューブを強制的に通って収集装置に達し、この中に注がれる。女性の場合、月経流も同様に管理される。
次いで、病人が手でポンプを押すと、これが開放弁に作用し、放出部から来る液体を圧力により流し、効果的な洗浄および水に含まれる消毒薬による消毒が行われる。装置の管路は、性器の場合と同じ経路を辿って洗浄および消毒される。
大容量となるように設計された収集装置は、満タンになりこれをチューブから取り外すと自動的に弁が閉じ、バッグが密閉されるので、破損することなくゴミ箱に捨てることができる。バッグはひざ当ての収容部分に収められている予備のバッグと直ちに交換される。
ショーツの横開放部により、患者はカップ固定手段を外さなくても大便をすることができ、また身体のサイズに合わせた調節も可能である。
【図１】
0005865892.tif 000002
【図２】
0005865892.tif 000003
【図３】
0005865892.tif 000004
【図４】
0005865892.tif 000005
【図５】
0005865892.tif 000006